(57)【要約】【課題】  ゴム足を機器に形成された凹部に埋設するように設置して筐体を支える構造は、コストが安く、かつ、ゴム足の高さによっては剥がれにくくできるため広く利用されている。しかしながら、ゴム足が支持する筐体の高さによって凹部の深さを調整する必要がある。同一筐体を使用しつつも剥がれにくく、かつ、より高い位置で筐体を支えることが可能な構造のゴム足、及びゴム足を装着した機器を提供する。【解決手段】  接触面に露出したゴムよりも硬質の素材により形成された芯部を有する第１のゴム足と、第１のゴム足の装着位置に装着可能な第２のゴム足の周囲に凹部を備える。【選択図】  図３
2010258303.tif 000002
【特許請求の範囲】
【請求項１】
取り付け可能な第１のゴム足の周囲に、該ゴム足の装着面から該ゴム足の高さよりも低い第１の高さで形成された凹部を備える機器において、該ゴム足の代わりに装着可能な第２のゴム足であって、
接触面に露出したゴムよりも硬質の素材により形成された芯部と、
前記第１の高さの２倍を越える高さを備えていること特徴とするゴム足。
【請求項２】
前記芯部はさらに、前記第２のゴム足の装着時、前記機器に設けられた穴を貫通する突起部を備え、
前記機器に前記突起部を貫通後、溶着して固定されることを特徴とする請求項１に記載のゴム足。
【請求項３】
接触面に露出したゴムよりも硬質の素材により形成された芯部を有する第１のゴム足と、
前記第１のゴム足の装着位置に装着可能な第２のゴム足の周囲に、該第２のゴム足の装着面から該第２のゴム足の第１の高さよりも低い第２の高さで形成された凹部と、
を備え、
前記第１のゴム足は、前記第２の高さの２倍を越える高さを備えている
こと特徴とする機器。
【請求項４】
前記芯部はさらに、前記第１のゴム足の装着時、前記機器に設けられた穴を貫通する突起部を備え、
前記機器に前記突起部を貫通後、前記突起部を溶着して前記第１のゴム足を固定することを特徴とする請求項３に記載の機器。
【発明の詳細な説明】
【技術分野】
【０００１】
本発明は、滑り止めにゴムなどの弾性体を利用したゴム足に関し、特に筐体取り付け面形成によらず、筐体の地上高に応じた形状とすることが可能なゴム足に関する。
【背景技術】
【０００２】
家電製品などの電子機器を例にとると、通常は設置棚といった平面上に載置されて使用されることが多い。このとき、金属等で出来た機器の筐体が直接棚に接触した状態で使用されると棚面に傷がついたり、振動により騒音が発生するなどの問題がある。このため、棚面に接する筐体面に、滑り止めや緩衝効果のあるゴムなどの弾性体を貼り付けることがある。
【０００３】
たとえば、外観面に孔などを設ける必要が無く、外観面に部品が露出しないようにゴム足を取り付け・保持可能なゴム足取付構造が提案されている（特許文献１）。
【０００４】
筐体面を棚面から浮かせた状態に支えるためにゴム足を用いる場合、横方向に筐体が力を受けたときでも棚面との摩擦抵抗により取り付けたゴム足が剥がれないようにする必要がある。従来手法としてはゴム足を筐体に設けた凹部に埋設することで、横方向の力を受けても貼り付け面から安易に剥離しないようにしている。
【先行技術文献】
【特許文献】
【０００５】
【特許文献１】特開２００７−３０４１７１号公報
【発明の概要】
【発明が解決しようとする課題】
【０００６】
ゴム等の弾性体で形成されたゴム足を、機器の筐体に形成された凹部に埋設するように設置して筐体を支える構造は、コストが安く、かつ、ゴム足の高さによっては剥がれにくくできるため広く利用されている。
【０００７】
しかしながら、ゴム足が支持する筐体の高さによって凹部の深さを調整する必要がある。任意の高さで筐体を支えようとする場合、凹部の深さは予め掘り込まれているためにゴム足の高さには限度がある。一方、予め凹部を深く形成することは筐体厚および筐体内部の空間にまで影響を及ぼす可能性がある。
【０００８】
本願発明にかかるゴム足は上記問題に鑑みてなされたものであり、同一筐体を使用しつつも剥がれにくく、かつ、より高い位置で筐体を支えることが可能な構造のゴム足、及びゴム足を装着した機器を提供することを目的とする。
【課題を解決するための手段】
【０００９】
本願発明にかかるゴム足とすれば、
取り付け可能な第１のゴム足の周囲に、該ゴム足の装着面から該ゴム足の高さよりも低い第１の高さで形成された凹部を備える機器において、該ゴム足の代わりに装着可能な第２のゴム足であって、接触面に露出したゴムよりも硬質の素材により形成された芯部と、前記第１の高さの２倍を越える高さを備えていること特徴とするゴム足が提供される。
【００１０】
また、本願発明にかかる装置とすれば、
接触面に露出したゴムよりも硬質の素材により形成された芯部を有する第１のゴム足と、前記第１のゴム足の装着位置に装着可能な第２のゴム足の周囲に、該第２のゴム足の装着面から該第２のゴム足の第１の高さよりも低い第２の高さで形成された凹部と、を備え、前記第１のゴム足は、前記第２の高さの２倍を越える高さを備えていること特徴とする機器が提供される。
【発明の効果】
【００１１】
本発明によれば、同一筐体を使用しつつも剥がれにくく、かつ、より高い位置で筐体を支えることが可能な構造のゴム足、及びゴム足を装着した機器を提供することができる。
【図面の簡単な説明】
【００１２】
【図１】ゴム足を装着した機器の一例を説明する図である。
【図２】ゴム足を装着した機器のゴム足部の拡大図である。
【図３】本実施形態にかかるゴム足の一例を示す図である。
【図４】機器と設置面の高さに応じたゴム足の一例を示す図である。
【発明を実施するための形態】
【００１３】
以下、本発明のゴム足構造について、図面を参照しながら説明する。
【００１４】
図１は、ゴム足を装着した機器の例を示す図である。図１には、機器１００、ゴム足１０１及び凹部１０２が示されている。
【００１５】
図１（ａ）は所定の場所に載置された機器１００を見下ろしている図である。
【００１６】
機器１００は、テレビ、冷蔵庫、電子レンジ、ビデオレコーダー、PC(Personal Computer)、STB(Set Top Box)などといった機器が代表的なものである。箱型の筐体を有し、机や棚といった水平面に載置された状態で使用される機器を想定している。また、機器１００は図１（ｂ）に示すように載置される面側に複数の足を備えている。
【００１７】
ゴム足１０１は、表面を滑り止めや緩衝性のあるゴムのような弾性体を持つ部材である。ある程度の高さのゴム足であれば、コスト効果を考え、その内部まで含めて同一の部材で構成するのが通常である。本実施形態においてもゴム足１０１は単一部材で出来ているものとする。また、形成本実施例の機器１００では４つのゴム足１０１を備えている例を示しているが、本発明は筐体に付属する足についてのものであって、ゴム足１００の数に関わらず適用可能である。
【００１８】
凹部１０２はゴム足１０１を取り囲むように筐体の一部として形成されており、ほぼゴム足１０１の周囲形状と同一になっている。凹部１０２の主要な機能としては、機器１００が載置された状態で横方向の力を受けたとき、ゴム足１０１が受ける力を受け止めることで剥がれにくくする機能が考えられる。
【００１９】
図２は、ゴム足を装着した機器のゴム足部の拡大図である。図２では機器１００が棚２００に載置されている様子を側面から見た図を示している。
【００２０】
側面から見ると、機器１００はゴム足１０１を介して棚２００と接触しているものの、凹部１０２は接触しない高さに形成されている。つまり凹部１０２の高さはゴム足１０１の高さよりも低く形成され、棚２００とは弾性体であるゴム足１０１が接するように構成される。このとき、凹部１０２の高さをある程度確保しておくと、弾性体で構成されたるゴム足１０１の横方向の挙動を効果的に抑え込むことができる。適切な高さについては様々な要因が関連するものの、好適にはゴム足１０１の高さの半分以上あることが望ましい。
【００２１】
図３は、本実施形態にかかるゴム足３００の一例を示す図である。
【００２２】
ゴム足３００は機器１００をゴム足１０１で支えるよりも高い位置に支持するために用いるもので、ゴム足１０１用に設計された凹部１０２の高さ等の機器１００側の形状変更をせずとも強度不足等でゴム足が脱落してしまうことのない高品位な機器を提供するものである。
【００２３】
図３(ａ)はゴム足３００の斜視図の例である。表面をゴムなどの弾性体が覆う足部３０１と、突起部３０２から構成される。
【００２４】
足部３０１は前述のゴム足１０１の部分に相当する。機器１００が棚２００に載置されたとき、足部３０１が棚２００と接することで滑り止めや緩衝効果を発揮する。
【００２５】
突起部３０２は足として機器１００の重量を支えるものではなく、機器１００に確実に取り付けるために用いられる。具体的には、たとえば凹部１０２に装着された状態で突起部３０２を機器１００の筐体内に通じて内側より溶着することで、確実に固着させるために利用することができる。素材はたとえばプラスチックといった、弾性体としてのゴムよりは比較的強固な部材が用いられる。もちろん金属や硬質ラバーなどで形成されていてもかまわない。
【００２６】
図３（ｂ）はゴム足３００の断面図の例である。本実施形態におけるゴム足３００は２つの部材から構成される。突起部３０２と連続した芯部と、その芯部の足部３０１に相当する部分にゴムなどの弾性体が形成されている。このように構成すると、ゴム足３００の強度を上げることができ、ゴム足１０１用に設計した機器１００であっても、ゴム足が脱落するような不具合を招くことなく高さを確保することが可能となる。
【００２７】
図４は、機器と設置面の高さに応じたゴム足の一例を示す図である。
【００２８】
図４（ａ）はゴム足１０１用に設計された機器１００にゴム足１０１を装着した例を側面から見た図である。このとき機器１００は棚２００表面と高さｈ１を保っている。
【００２９】
このとき、図４（ｂ）のようにｈ１よりも高いｈ２を確保しようとすると、高さｈ２となるような高さを備えたゴム足１０１ａが必要となる。しかしながらゴムのような弾性体で単純に高さを合わせたゴム足１０１ａを装着すれば、弾性体ゆえにぐらついたり凹部１０２の高さ不足のためにゴム足１０１ａに過剰な横方向の力がかかり脱落する可能性が高まることは否めない。
【００３０】
そこで図４（ｃ）に示すようにｈ２の高さが必要な場合にはゴム足３００を装着することでぐらつきを防止し、さらに突起部３０２を用いて機器１００に溶着するように構成すれば、機器１００の設計変更をすることなく脱落に抗するだけの十分な強度を確保したゴム足を提供することができる。
【００３１】
以上説明したように、本実施例によれば、同一筐体を使用しつつも剥がれにくく、かつ、より高い位置で筐体を支えることが可能な構造のゴム足、及びゴム足を装着した機器を提供することができる。
【００３２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３３】
１００・・・機器、１０１・・・ゴム足、１０２・・・凹部、２００・・・棚、３００・・・ゴム足、３０１・・・足部、３０２・・・突起部
【図１】
2010258303.tif 000003
【図２】
2010258303.tif 000004
【図３】
2010258303.tif 000005
【図４】
2010258303.tif 000006
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
底面から装着面までの高さが第１の高さで形成された第１のゴム足と、少なくとも底面に露出するゴムよりも硬質の素材で形成された芯部を有すると共に前記ゴムが露出する底面から装着面までの高さが第２の高さで形成された第２のゴム足と、のうちのいずれかが装着面を介して装着された被装着面を有する凹部を底面側に備えた筐体を具備し、
前記凹部の最底面から前記被装着面までの高さとなる第３の高さは、前記第２のゴム足の前記第２の高さが当該第３の高さの２倍を超える高さになるように構成されていると共に、前記第１のゴム足の前記第１の高さよりも低く構成されている、
ことを特徴とする機器。
【手続補正３】
【補正対象書類名】明細書
【補正対象項目名】０００１
【補正方法】変更
【補正の内容】
【０００１】
本発明は、滑り止めにゴムなどの弾性体を利用したゴム足が取り付けられた機器に関する。
【手続補正４】
【補正対象書類名】明細書
【補正対象項目名】０００８
【補正方法】変更
【補正の内容】
【０００８】
本発明は、上記課題に鑑みてなされたものであり、同一筐体を使用しつつも剥がれにくく、かつ、より高い位置で筐体を支えることが可能な構造のゴム足を装着した機器を提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明は、底面から装着面までの高さが第１の高さで形成された第１のゴム足と、少なくとも底面に露出するゴムよりも硬質の素材で形成された芯部を有すると共に前記ゴムが露出する底面から装着面までの高さが第２の高さで形成された第２のゴム足と、のうちのいずれかが装着面を介して装着された被装着面を有する凹部を底面側に備えた筐体を具備し、前記凹部の最底面から前記被装着面までの高さとなる第３の高さは、前記第２のゴム足の前記第２の高さが当該第３の高さの２倍を超える高さになるように構成されていると共に、前記第１のゴム足の前記第１の高さよりも低く構成されている、ことを特徴とする機器である。
【手続補正７】
【補正対象書類名】明細書
【補正対象項目名】００１１
【補正方法】変更
【補正の内容】
【００１１】
本発明によれば、同一筐体を使用しつつも剥がれにくく、かつ、より高い位置で筐体を支えることが可能な構造のゴム足を装着した機器を提供することができる。